(57)【要約】【課題】使用の最中に不所望に切断されるのを防止することができるとともに、分割後の寿命を長くすることができる、たわしを提供する。【解決手段】たわし１０は、含水性を有し、複数のブロック１２に区画される板状またはシート状の基材１４を備え、互いに隣接する２つのブロック１２の境界部２４における一方のブロック１２に近接した位置には、基材１４を第１糸２６で縫うことによって第１縫線２８が形成され、互いに隣接する２つのブロック１２の境界部２４における他方のブロック１２に近接した位置には、基材１４を第２糸３０で縫うことによって第２縫線３２が形成され、基材１４における第１縫線２８と第２縫線３２との間には、ブロック１２を分割するときに切断される切断部３４が確保される。【選択図】図１
0003165418.tif 000002
【実用新案登録請求の範囲】
【請求項１】
含水性を有し、複数のブロックに区画される板状またはシート状の基材を備え、
互いに隣接する２つの前記ブロックの境界部における一方の前記ブロックに近接した位置には、前記基材を第１糸で縫うことによって第１縫線が形成され、
互いに隣接する２つの前記ブロックの境界部における他方の前記ブロックに近接した位置には、前記基材を第２糸で縫うことによって第２縫線が形成され、
前記基材における前記第１縫線と前記第２縫線との間には、前記ブロックを分割するときに切断される切断部が確保される、たわし。
【請求項２】
前記基材の外周縁には、前記基材を第３糸で縫うことによって第３縫線が形成される、請求項１に記載のたわし。
【請求項３】
前記基材は、スポンジで構成された板状またはシート状の第１部材を有し、
前記第１部材は、前記第１糸および前記第２糸で縫われることによって、前記境界部において厚さ方向に圧縮される、請求項１または２に記載のたわし。
【請求項４】
前記基材は、前記第１部材の一方面に配置される第２部材を有し、
前記第１部材と前記第２部材とが、前記第１糸および前記第２糸で縫合される、請求項３に記載のたわし。
【請求項５】
前記基材は、前記第１部材の他方面に配置される第３部材を有し、
前記第１部材と前記第２部材と前記第３部材とが、前記第１糸および前記第２糸で縫合される、請求項４に記載のたわし。
【請求項６】
前記第２部材はネットで構成される、請求項４または５に記載のたわし。
【請求項７】
前記第２部材は不織布で構成される、請求項４または５に記載のたわし。
【請求項８】
前記第２部材はネットで構成され、前記第３部材は不織布で構成される、請求項５に記載のたわし。
【考案の詳細な説明】
【技術分野】
【０００１】
本考案は、互いに分割可能な複数のブロックに区画された板状またはシート状の基材を備える、たわしに関する。
【背景技術】
【０００２】
特許文献１には、用途に応じたサイズに分割して使用することができるたわしが記載されている。このたわしは、スポンジと不織布とを重ね合わせて構成されたシート状の基材を有しており、基材には、縦方向および横方向に延びるミシン目が升目状に形成されている。そして、ミシン目に沿って基材を切断することによって１つのたわしを複数のたわしに分割できるようになっている。
【先行技術文献】
【特許文献】
【０００３】
【特許文献１】実用新案登録第３０８６５１１号
【考案の概要】
【考案が解決しようとする課題】
【０００４】
特許文献１に記載されたたわしによれば、基材の切断に用いるミシン目を適宜選択することによって用途に応じたサイズのたわしを簡単に得ることができる。しかし、このたわしでは、使用の最中に、ミシン目に応力が集中するため、基材がミシン目に沿って不所望に切断されてしまうおそれがあった。また、基材を切断した後には、たわしの外周部に露出したミシン目の一部から基材がほつれるため、分割後のたわしの寿命が短くなるおそれがあった。
【０００５】
本考案は、上記課題を解決するためになされたものであり、基材が不所望に切断されるのを防止することができるとともに、分割後の寿命を長くすることができる、たわしを提供することを目的とする。
【課題を解決するための手段】
【０００６】
上記課題を解決するために、本考案に係るたわしは、含水性を有し、複数のブロックに区画される板状またはシート状の基材を備え、互いに隣接する２つの前記ブロックの境界部における一方の前記ブロックに近接した位置には、前記基材を第１糸で縫うことによって第１縫線が形成され、互いに隣接する２つの前記ブロックの境界部における他方の前記ブロックに近接した位置には、前記基材を第２糸で縫うことによって第２縫線が形成され、前記基材における前記第１縫線と前記第２縫線との間には、前記ブロックを分割するときに切断される切断部が確保される。
【０００７】
なお、「縫線」とは、基材を第１糸または第２糸で縫ったときに基材の表面に現れる線を意味し、基材を構成する複数の部材を第１糸または第２糸で縫合したときに現れる線は勿論、１つの部材の表裏の面に第１糸または第２糸を行き来させたときに現れる線も「縫線」に含まれる。
【０００８】
この構成では、基材における第１縫線と第２縫線との間に切断部が確保されるので、この切断部をハサミ等で切断することによって、複数のブロックの一部を分割することができる。切断部は、第１縫線と第２縫線とで挟まれた基材の一部であり、ミシン目のような容易に切断できるように加工されたものではない。したがって、たわしの使用の最中に、切断部において基材が不所望に切断されるのを防止することができる。また、基材を切断部で切断した後には、切断部の一部がたわしの外周部に露出するが、この外周部には、第１縫線または第２縫線が形成されているので、露出した切断部の一部から基材がほつれるのを防止することができる。
【０００９】
前記基材の外周縁には、前記基材を第３糸で縫うことによって第３縫線が形成されてもよい。
【００１０】
この構成では、基材の外周縁に第３縫線が形成されているので、基材の外周縁から基材がほつれるのを防止することができる。
【００１１】
前記基材は、スポンジで構成された板状またはシート状の第１部材を有し、前記第１部材は、前記第１糸および前記第２糸で縫われることによって、前記境界部において厚さ方向に圧縮されてもよい。
【００１２】
この構成では、スポンジで構成された第１部材によって含水性を確保することができる。また、厚さ方向に圧縮された薄肉の境界部においてたわしを容易に曲げることができる。そして、境界部と共に切断部が薄肉になることから、切断部においてたわしを容易に切断することができる。
【００１３】
前記基材は、前記第１部材の一方面に配置される第２部材を有し、前記第１部材と前記第２部材とが、前記第１糸および前記第２糸で縫合されてもよい。また、前記基材は、前記第１部材の他方面に配置される第３部材を有し、前記第１部材と前記第２部材と前記第３部材とが、前記第１糸および前記第２糸で縫合されてもよい。
【００１４】
これらの構成では、第１糸および第２糸によって基材を構成する複数の部材が互いに縫合されるので、１つのたわしにおいて各部材が有する複数の機能を発揮させることができる。
【００１５】
前記第２部材はネットで構成されてもよいし、不織布で構成されてもよい。また、前記第２部材はネットで構成され、前記第３部材は不織布で構成されてもよい。
【考案の効果】
【００１６】
本考案に係るたわしによれば、使用の最中に不所望に切断されるのを防止することができるとともに、分割後のたわしの寿命を長くすることができる。
【図面の簡単な説明】
【００１７】
【図１】第１実施形態に係るたわしの構成を示す図であり、（Ａ）は斜視図、（Ｂ）は（Ａ）におけるＩＢ−ＩＢ線断面図である。
【図２】第１実施形態に係るたわしに用いられる基材の構成を示す図であり、（Ａ）は斜視図、（Ｂ）は（Ａ）におけるＩＩＢ−ＩＩＢ線断面図である。
【図３】第１実施形態に係るたわしを分割した状態を示す斜視図である。
【図４】第１実施形態に係るたわしをさらに分割した状態を示す斜視図である。
【図５】第２実施形態に係るたわしの構成を示す断面図である。
【図６】第３実施形態に係るたわしの構成を示す断面図である。
【図７】第４実施形態に係るたわしの構成を示す断面図である。
【図８】第５実施形態に係るたわしの構成を示す断面図である。
【図９】第６実施形態に係るたわしの構成を示す断面図である。
【考案を実施するための形態】
【００１８】
以下に、本考案の好ましい実施形態を、図面を参照しながら説明する。
（第１実施形態）
図１は、第１実施形態に係るたわし１０の構成を示す図であり、（Ａ）は斜視図、（Ｂ）は（Ａ）におけるＩＢ−ＩＢ線断面図である。図２は、たわし１０に用いられる基材１４の構成を示す図であり、（Ａ）は斜視図、（Ｂ）は（Ａ）におけるＩＩＢ−ＩＩＢ線断面図である。
【００１９】
図１に示すように、たわし１０は、食器や調理器具を洗う際に人が手で持って使用するものであり、複数のブロック１２に区画される板状またはシート状の基材１４を備えている。図２に示すように、基材１４は、略長方形の平面視形状を有する板状またはシート状の第１部材１６と、第１部材１６の一方面（図１では上面）の全面に配置された第２部材１８と、第１部材１６の他方面（図１では下面）の全面に配置された第３部材２０とを有している。
【００２０】
第１部材１６は、ポリウレタン等の合成樹脂を発泡させて形成されたスポンジで構成されており、スポンジの内部に形成された複数の気泡によって含水性が確保されている。第２部材１８は、ナイロン等の合成樹脂で形成されたネットで構成されており、第２部材１８のネットの網目１８ａから第１部材１６が基材１４の外面に露出されている。したがって、基材１４の一方面には、第１部材１６のスポンジおよび第２部材１８のネットの両方が存在し、食器や調理器具に付着した汚れを、第２部材１８のネットで掻き落としながら第１部材１６のスポンジに含まれた水で洗い流すことができる。また、第２部材１８のネットで第１部材のスポンジを保護することができる。第３部材２０は、ナイロン等の合成樹脂で形成された不織布で構成されており、第３部材２０の不織布を構成する繊維どうしの隙間（図示省略）に第１部材１６のスポンジに含まれた水が供給されるようになっている。そして、基材１４の外周縁には、第１部材１６、第２部材１８および第３部材２０のそれぞれの外周縁を第３糸２２で縫うことによって第３縫線２３が形成されている。第１部材１６、第２部材１８および第３部材２０のうちの少なくとも第１部材１６は、第３糸２２で縫われることによって基材１４の外周縁において厚さ方向に圧縮されている。
【００２１】
図１に示すように、複数のブロック１２のそれぞれは、略正方形の平面視形状を有しており、本実施形態では、合計６個のブロック１２が２行３列に配列されている。そして、互いに隣接する２つのブロック１２の境界部２４における一方のブロック１２に近接した位置には、基材１４を第１糸２６で縫うことによって第１縫線２８が形成されている。また、互いに隣接する２つのブロック１２の境界部２４における他方のブロック１２に近接した位置には、基材１４を第２糸３０で縫うことによって第２縫線３２が形成されている。
【００２２】
第１縫線２８と第２縫線３２とは、互いに間隔を隔てて平行に配置されており、第１縫線２８と第２縫線３２との間には、ブロック１２を分割するときに切断される切断部３４が確保されている。また、第１部材１６、第２部材１８および第３部材２０のうちの少なくとも第１部材１６は、第１糸２６および第２糸３０で縫われることによって境界部２４において厚さ方向に圧縮されている。これに伴って、切断部３４は、厚さ方向に圧縮されて帯状に形成されている。
【００２３】
たわし１０を使用する際には、基材１４を構成する第１部材１６のスポンジに水および洗剤を含ませる。そして、たわし１０の全体を境界部２４において屈曲または湾曲させながら、たわし１０の表面で食器や調理器具の表面に付着した汚れを擦り落とす。このとき、第２部材１８および第３部材２０のいずれを使用するかは、食器等の材質や汚れの程度に応じて適宜選択することができる。洗う対象となる食器や調理器具の種類によっては、たわし１０のサイズを小さくした方が使い易い場合がある。そのような場合には、ハサミ等を用いて基材１４を切断部３４で切断することによって、複数のブロック１２の一部を予め分割してもよい。
【００２４】
図３に示すように、たわし１０を使用することによって、一部のブロック１２に傷みや汚れが生じた場合には、ハサミ等を用いて基材１４を切断部３４で切断することによって、当該ブロック１２を他のブロック１２から分割する。そして、分割後に残されたたわし１０を、食器や調理器具を洗う用途に引き続き使用し、分割したブロック１２を、その汚れ等が気にならないトイレ掃除等の他の用途に転用する。図４に示すように、分割後に残されたたわし１０をさらに使用し続けることによって、一部のブロック１２に傷みや汚れが生じると、基材１４を切断部３４でさらに切断することによって、当該ブロック１２を他のブロック１２から分割する。一方、他の用途に転用したブロック１２にさらに傷みや汚れが生じると、当該ブロック１２を廃棄する。
【００２５】
本実施形態では、たわし１０の境界部２４が他の部分よりも薄くなっているので、たわし１０を境界部２４において容易に曲げることが可能であり、たわし１０の表面を食器や調理器具に押し当てながら、これらに付着した汚れを効率よく擦り落とすことができる。また、互いに異なる機能を有する第１部材１６、第２部材１８および第３部材２０を用いて基材１４を構成しているので、１つのたわし１０において各部材１６，１８，２０が有する複数の機能を発揮させることができる。
【００２６】
そして、基材１４の一部がそのまま切断部３４となっているので、切断部３４における強度低下を防止することが可能であり、使用の最中に切断部３４が不所望に切断されるのを防止することができる。また、切断部３４が他の部分よりも薄い帯状に形成されているので、切断部３４をハサミ等で容易に切断することができる。また、帯状の切断部３４の両側部に第１縫線２８および第２縫線３２が形成されているので、基材１４を切断部３４で切断した後には、切断面に近接して位置する第１縫線２８または第２縫線３２によって基材１４のほつれを防止することができる。さらに、傷みや汚れが生じたブロック１２を分割して他の用途に転用することができるので、資源の無駄遣いを防止して環境負荷を低減することができる。
（他の実施形態）
第１実施形態に係るたわし１０では、スポンジで構成された第１部材１６の一方面に合成樹脂で形成されたネットで構成された第２部材１８が配置され、他方面に合成樹脂で形成された不織布で構成された第３部材２０が配置されているが、他の実施形態に係るたわしでは、第２部材１８および第３部材２０が他の種類の第２部材および第３部材に変更されてもよいし、第２部材１８および第３部材２０のいずれか一方または双方が省略されてもよい。たとえば、第２部材および第３部材は、合成樹脂で形成された織布および金属で形成されたネット等で構成されてもよい。
【００２７】
図５に示すように、第２実施形態に係るたわし４０では、スポンジで構成された第１部材１６の一方面にネットで構成された第２部材１８が配置されており、他方面にネットで構成された第３部材４２が配置されている。つまり、たわし４０の基材４４では、基材１４（図１（Ｂ））における不織布で構成された第３部材２０がネットで構成された第３部材４４に変更されている。
【００２８】
図６に示すように、第３実施形態に係るたわし５０では、スポンジで構成された第１部材１６の一方面に不織布で構成された第２部材５２が配置されており、他方面に不織布で構成された第３部材２０が配置されている。つまり、たわし５０の基材５４では、基材１４（図１（Ｂ））におけるネットで構成された第２部材１８が不織布で構成された第２部材５２に変更されている。
【００２９】
図７に示すように、第４実施形態に係るたわし６０では、スポンジで構成された第１部材１６の一方面に第２部材は配置されておらず、他方面に不織布で構成された第３部材２０が配置されている。つまり、たわし６０の基材６４では、基材１４（図１（Ｂ））におけるネットで構成された第２部材１８が省略されている。
【００３０】
図８に示すように、第５実施形態に係るたわし７０では、スポンジで構成された第１部材１６の一方面にネットで構成された第２部材１８が配置されており、他方面に第３部材は配置されていない。つまり、たわし７０の基材７４では、基材１４（図１（Ｂ））における不織布で構成された第３部材２０が省略されている。
【００３１】
図９に示すように、第６実施形態に係るたわし８０では、スポンジで構成された第１部材１６だけで基材８４が構成されている。
【００３２】
また、他の実施形態に係るたわしでは、汚れを掻き落とす効果を高める等のために、輪奈や毛羽を有するパイル糸を用いて第２部材または第３部材を構成するネットを形成してもよい。
【００３３】
なお、全ての実施形態において、「第２部材」および「第３部材」の名称は、両者を区別するためだけに実質的な意味がある。たとえば、第４実施形態の第３部材２０は、たわし６０の上下を逆にすることによってそのまま第２部材２０となり、第５実施形態の第２部材１８は、たわし７０の上下を逆にすることによってそのまま第３部材１８となる。
【産業上の利用可能性】
【００３４】
本考案に係るたわしは、食器洗い、野菜洗い、風呂洗い、風呂での体洗い、トイレ洗い、自動車の洗車等の様々な用途に幅広く利用可能である。
【符号の説明】
【００３５】
１０…  たわし
１２…  ブロック
１４…  基材
１６…  第１部材
１８…  第２部材
１８ａ…  網目
２０…  第３部材
２２…  第３糸
２３…  第３縫線
２４…  境界部
２６…  第１糸
２８…  第１縫線
３０…  第２糸
３２…  第２縫線
３４…  切断部
【図１】
0003165418.tif 000003
【図２】
0003165418.tif 000004
【図３】
0003165418.tif 000005
【図４】
0003165418.tif 000006
【図５】
0003165418.tif 000007
【図６】
0003165418.tif 000008
【図７】
0003165418.tif 000009
【図８】
0003165418.tif 000010
【図９】
0003165418.tif 000011